(57)【要約】【課題】収納する物品の大きさに応じて段ボールの高さを簡易に調整し、前記段ボールの折り目をきれいにして、前記段ボールを多段に積み重ねることができるような治具を提供する。【解決手段】開口された段ボール箱の折り曲げた上縁に載せられるガイドローラーと、前記ガイドローラーの前記段ボール箱の内側位置に、締付け金具を介して上下に移動可能に取付けられたポールと、前記ポールの下端に固着されたカッターナイフを水平に保持するカッターナイフ固定部材と、前記カッターナイフ固定部材に刃先を前記段ボール箱側に向けて装着されたカッターナイフと、を具えるようにして、段ボール箱用高さ調節治具を構成する。【選択図】図１
0003155827.tif 000002
【実用新案登録請求の範囲】
【請求項１】
開口された段ボール箱の折り曲げた上縁に載せられるガイドローラーと、
前記ガイドローラーの前記段ボール箱の内側位置に、締付け金具を介して上下に移動可能に取付けられたポールと、
前記ポールの下端に固着されたカッターナイフを水平に保持するカッターナイフ固定部材と、
前記カッターナイフ固定部材に刃先を前記段ボール箱側に向けて装着されたカッターナイフと、
を具えることを特徴とする、段ボール箱用高さ調節治具。
【請求項２】
前記ガイドローラーは、開口された段ボール箱の折り曲げた上縁を走行する複数のローラー部材と、前記ローラー部材の両側に、前記開口された段ボール箱の折り曲げた上縁を挟むように配置され前記ローラー部材を回転自在に支持する一対のガイド板とを含むことを特徴とする、請求項１記載の段ボール箱用高さ調節治具。
【考案の詳細な説明】
【技術分野】
【０００１】
本考案は、収容物の大きさに起因して生じた空きスペースにあわせて段ボール箱の高さを調節する治具に関する。
【背景技術】
【０００２】
物品を運搬する際の一手段として、物品を段ボール箱内に収納し、この段ボール箱を人的又は機械的な手段を用いて運搬する方法が用いられている。段ボール箱の大きさは収納する物品に合わせて設計された場合を除き、一般には特定の規格に基づいて作製されている。したがって、ある所定の物品を段ボール内に収納して運搬する場合、段ボールの収納容積が物品の大きさよりも大きいと、段ボール内に空きスペースが生じてしまう。
【０００３】
このため、従来においては、上述した段ボール内に空きスペースに対して古新聞紙を丸めたものや、小石状の発泡プラスチックをスペーサーとして詰め、運搬の際の物品の振動やガタ付きを抑えたり、物品の破損等を防止したりする手法が採られている。古新聞紙やプラスチックのスペーサ−はクッション材としては有効であるが、収納する物品の種類によってはクッション材が不要の場合がある。
【０００４】
また、段ボール箱の大きさが不当に大きいと運搬において不便である。このため、ナイフやカッターを用いて段ボールの四隅に切れ込みを入れ、段ボールの側面を折り曲げて高さ調節を行うようなことも手段も採られている。しかしながら、このような手法では、きれいな折れ目を形成することができず、物品の収納前後に拘わらず、段ボール箱を多段に積み重ねることができない場合が多い。
【０００５】
一方、特許文献１には、段ボールの側面に予め高さ調整用の水平な折り目を形成し、所定の折り目に相当する箇所の四隅にカッター等で切り込みを入れ、当該折り目において段ボールの側面を折り曲げ、段ボールの高さを調整する技術が開示されている。しかしながら、このような技術においては、予め複数の高さ調整用の水平な折り目を形成する必要があることから、段ボールの製造工程が煩雑になり、コスト高を生じるという問題がある。
【先行技術文献】
【特許文献】
【０００６】
【特許文献１】特開２００５−３１３９９１号
【考案の概要】
【考案が解決しようとする課題】
【０００７】
本考案は、収納する物品の大きさに応じて段ボールの高さを簡易に調整し、前記段ボールの折り目をきれいにして、前記段ボールを多段に積み重ねることができるような治具を提供することを目的とする。
【課題を解決するための手段】
【０００８】
上記目的を達成すべく、本考案は、
開口された段ボール箱の折り曲げた上縁に載せられるガイドローラーと、
前記ガイドローラーの前記段ボール箱の内側位置に、締付け金具を介して上下に移動可能に取付けられたポールと、
前記ポールの下端に固着されたカッターナイフを水平に保持するカッターナイフ固定部材と、
前記カッターナイフ固定部材に刃先を前記段ボール箱側に向けて装着されたカッターナイフと、
を具えることを特徴とする、段ボール箱用高さ調節治具に関する。
【０００９】
本考案の段ボール箱用高さ調節治具は、ガイドローラーの内側位置に締め付け金具を介して上下に移動可能に取り付けられたポールと、このポールの下端に固着されたカッターナイフを水平に保持するカッターナイフ固定部材とからなる治具を準備し、前記カッターナイフ固定部材にカッターナイフを装着し、その刃先が前記段ボール箱に向くようにして前記ガイドローラーを開口された前記段ボール箱の折り曲げた上縁に載せることができるように構成している。
【００１０】
したがって、上記ガイドローラーを開口した前記段ボール箱の上縁に載せた際に、前記カッターナイフ固定部材に対する前記カッターナイフの取り付け位置を調節し、前記カッターナイフの刃先が前記段ボール箱の側面に当たるようにすることによって、前記ガイドローラーを前記上縁に沿って移動させるのみで、前記カッターナイフの刃先が前記段ボール箱の側面に切り込みを入れることができるようになる。
【００１１】
また、この切り込みは、前記段ボール箱の上縁と略平行に形成することができるので、前記段ボールに対して高さ一定の切り込みを形成することができ、前記切り込みを基準として折り曲げることによって、高さ一定のきれいな折れ目を形成することができるようになる。
【００１２】
したがって、前記切れ目の高さを収納する物品の大きさに応じて設定することにより、前記物品の大きさに適した大きさ（高さ）の段ボール箱を簡易に形成することができる。さらに、きれいな折れ目を形成できることに起因して、前記段ボール箱を多段に積み重ねることができる。
【００１３】
なお、本考案の一態様において、前記ガイドローラーは、開口された段ボール箱の折り曲げた上縁を走行する複数のローラー部材と、前記ローラー部材の両側に、前記開口された段ボール箱の折り曲げた上縁を挟むように配置され前記ローラー部材を回転自在に支持する一対のガイド板とを含むようにすることができる。
【考案の効果】
【００１４】
以上、本考案によれば、収納する物品の大きさに応じて段ボールの高さを簡易に調整し、前記段ボールの折り目をきれいにして、前記段ボールを多段に積み重ねることができるような治具を提供することができる。
【図面の簡単な説明】
【００１５】
【図１】本考案の段ボール箱用高さ調節治具を、段ボール箱の上縁にセットした状態を示す斜視図である。
【図２】図1に示す治具を構成するポール及びカッターナイフ固定部材の詳細な構成を示す側面図である。
【図３】図1に示す治具を構成するガイドローラー及び締付け金具の詳細な構成を示す上平面図である。
【図４】図1に示す治具を構成するカッターナイフの概略構成を示す図である。
【考案を実施するための形態】
【００１６】
図１は、本考案の段ボール箱用高さ調節治具を、段ボール箱の上縁にセットした状態を示す斜視図であり、図２は、図1に示す治具を構成するポール及びカッターナイフ固定部材の詳細な構成を示す側面図である。図３は、図1に示す治具を構成するガイドローラー及び締付け金具の詳細な構成を示す上平面図である。図４は、図1に示す治具を構成するカッターナイフの概略構成を示す図である。
【００１７】
図１に示すように、本実施形態における段ボール箱用高さ調節治具１０は、ガイドローラー１１と、ガイドローラー１１の段ボール箱２０の内側位置に、締付け金具１３を介して上下に移動可能に取付けられたポール１２と、ポール１２の下端に固着されたカッターナイフを水平に保持するカッターナイフ固定部材１４と、カッターナイフ固定部材１４に刃先を段ボール箱２０側に向けて装着されたカッターナイフ１５とを含んでいる。
【００１８】
図２に示すように、カッターナイフ固定部材１４は、その下部にカッターナイフ固定部１４１と、固定部１４１に螺合された蝶型のねじ部１４２とを有している。図４に示すカッターナイフ１５は、その後方部１５Bが固定部１４１の孔内に挿入され、ねじ部１４２によって締結することにより、カッターナイフ固定部材１４に固定される。なお、カッターナイフ１５は、汎用のものを用いることができ、カッターナイフに代えてナイフ等を用いることもできる。
【００１９】
また、図３に示すように、ガイドローラー１１は、第1のローラー部材１１１及び第２のローラー部材１１２と、これらローラー部材を回転自在に支持する一対のガイド板１１３及び１１４とを含んでいる。なお、本実施形態では、ローラー部材の数を２としているが、必要に応じて任意の数とすることができる。
【００２０】
さらに、図３に示すように、締付け金具１３は、ポール固定部１３１と、このポール固定部１３１に螺合した蝶型のねじ部１３２とを有している。ポール１２は、固定部１３１の孔内に挿入され、ねじ部１３２によって締結することにより、締付け金具１３、すなわち、ガイドローラー１１に対して相対的に固定されるようになる。
【００２１】
上述のように構成された段ボール箱用高さ調節治具１０は、ガイドローラー１１を開口した段ボール箱２０の上縁２０Ａに載せた際に、カッターナイフ固定部材１４に対するカッターナイフ１５の取り付け位置を調節し、カッターナイフ１５の刃先が段ボール箱２０の側面に当たるようにする。なお、本実施形態において、ガイドローラー１１を段ボール箱２０の上縁２０Ａに載せる際には、ガイドローラー１１の第１のローラー部材１１１及び第２のローラー部材１１２が、段ボール箱２０の上縁２０Ａに係合するようにして行う。
【００２２】
このような状態で、ガイドローラー１１を段ボール箱２０の上縁２０Ａに沿って移動させると、カッターナイフ１５の刃先が段ボール箱２０の側面に食い込みながら移動することによって、段ボール箱２０の側面に切り込みを入れることができるようになる。
【００２３】
また、この切り込みは、段ボール箱２０の上縁２０Ａと略平行に形成することができるので、段ボール２０に対して高さ一定の切り込みを形成することができる。したがって、図１に示すような、段ボール箱２０の一つの側面に対して切り込みを形成した後、上記工程を繰り返し、他の３つの側面に対して高さ一定の切り込みを形成する。この結果、段ボル箱２０の総ての側面に形成された切り込みの高さは同一となるので、これら切り込みを基準として折り曲げることによって、段ボール箱２０において高さ一定のきれいな折れ目を形成することができるようになる。
【００２４】
したがって、上記切り込みの高さを、収納する物品の大きさに応じて設定することにより、前記物品の大きさに適した大きさ（高さ）の段ボール箱を簡易に形成することができる。さらに、きれいな折れ目を形成できることに起因して、上述のような工程を経て複数の段ボール箱２０を形成した場合において、これら複数の段ボール箱２０多段に積み重ねることができる。
【００２５】
なお、段ボール箱２０内に物品を収納した後は、必要に応じて粘着テープでシールをし、梱包する。このように段ボール箱２０内に物品を収納した後も、その上面は、上述したように、段ボール箱２０に対してきれいな折れ目が形成できることに起因して、梱包済みの複数の段ボール箱２０を多段に積み重ねることができる。
【００２６】
以上、本発明を上記具体例に基づいて詳細に説明したが、本発明は上記具体例に限定されるものではなく、本発明の範疇を逸脱しない限りにおいてあらゆる変形や変更が可能である。
【符号の説明】
【００２７】
１０  段ボール箱用高さ調節治具
１１  ガイドローラー
１２  ポール
１３  締付け金具
１４  カッターナイフ固定部材
１５  カッターナイフ
２０  段ボール箱
２０Ａ  （段ボール箱の）上縁
【図１】
0003155827.tif 000003
【図２】
0003155827.tif 000004
【図３】
0003155827.tif 000005
【図４】
0003155827.tif 000006